(57)【要約】      （修正有）【課題】任意に取外可能かつ単一列または複数列の構造形態に組み合わせられ、実際の作業範囲のニーズを満たせるように設けられ、色による識別性を有して、導電特性を区別することができる、容易に識別可能な端子台を提供する。【解決手段】主に複数列の端子台１の構造形態であり、各列の端子台は、二つの筐体による凹凸構造を組み合わせてなり、お互いを組み合わせる各列の端子台には、プラグが差し込む差込口１０が１個以上設置、その中に１組の導電性出力ピンが埋設され、各列端子台の表面は、導電特性を識別するために異なる着色層１１２、１３３で被覆され、それによって、電源、信号、接地などから来ているかが目視で分かるので、誤操作防止や差込・取外しが容易に行なわれるように設けられることを特徴とする。【選択図】図４
0003216496.tif 000002
【実用新案登録請求の範囲】
【請求項１】
主に複数列の端子台の構造形態であり、各列の端子台は、二つの筐体による凹凸構造を組み合わせてなり、お互いを組み合わせる各列の端子台には、プラグが差し込む差込口が１個以上設置、その中に１組の導電性出力ピンが埋設され、各列端子台の表面は、導電特性を識別するために、異なる着色層で被覆され、それによって、各列端子台のどの該差込口への差込み、そこから取外すのが識別しやすく、誤操作防止や差込・取外しが容易に行なわれるように設けられることを特徴とする容易に識別可能な端子台。
【請求項２】
該筐体は、側端部、側蓋部と拡張部を備えてなり、該側端部、該側蓋部と該拡張部の上端には、該差込口に対応する開放孔があり、該側端部と該側蓋部の外側面は閉鎖部に設けられ、該側端部と該拡張部の内側面にはそれぞれ、凹溝が設けられることを特徴とする請求項１に記載の容易に識別可能な端子台。
【請求項３】
該凹凸構造は、相互に対応する突起と凹所を備えてなり、該側端部と該側蓋部を組み合わせるところの内側面にはそれぞれ、複数の凹穴及びそれに対応する複数の突起があり、それらを嵌め合わせて、単一列の端子台に設けられることを特徴とする請求項２に記載の容易に識別可能な端子台。
【請求項４】
該側端部と該側蓋部の間には、１個以上の該拡張部を組み合わせるように設けられ、該拡張部の一側面には複数の突起、他方の側面には複数の凹孔が設けられ、それによって、複数列の端子台に設けられることを特徴とする請求項３に記載の容易に識別可能な端子台。
【請求項５】
該側蓋部外側の表面には、図形や文字を表示するための表示エリアが設けられることを特徴とする請求項３または４に記載の容易に識別可能な端子台。
【請求項６】
該差込口の上方には、該差込口への差込み、そこからの取り外しが容易に行なわれるための押しブロックが設けられることを特徴とする請求項１に記載の容易に識別可能な端子台。
【請求項７】
該導電性出力ピンは、弾力性を有し、対向する２枚のフック形導電シートが接続、電気が伝わるように設けられ、該導電性出力ピンは該凹溝内に埋設され、その一端が該差込口の底部にあり、他方端が端子台の底部に露出されるように設けられることを特徴とする請求項２に記載の容易に識別可能な端子台。
【請求項８】
該着色層は、半透光性または非透光性の色に設けられ、電源、信号、接地など各種の導電特性を識別するように、赤、緑、灰色、白、黒の着色層に設けられることを特徴とする請求項１に記載の容易に識別可能な端子台。
【考案の詳細な説明】
【技術分野】
【０００１】
本考案は端子台の構造に関わり、特に、自由に取外し・組合せ可能かつ色による識別性を有する端子台に関する。
【背景技術】
【０００２】
従来の端子台は、モジュール配線の統合ユニットであり、間隔を開けて配置される出入力端子を用いて、電子回路と接続機器をつなぐための複数列の固定配列タイプがよく見られるが、このような固定配列タイプの端子台は、複数の出入力端子を備えてなるという決まった形をし、端子配列数は調整できず、柔軟に組み合わせるニーズを満たせないという制限があること、それに、間隔を開けて配置される複数の端子の識別性を有さないから、それで接続する電気的特性を区別できないため、電源のプラス極とマイナス極、信号ケーブルなどの重要な電気的特性を確認するのに、余計な工数が掛かる。
【考案の概要】
【考案が解決しようとする課題】
【０００３】
本考案は従来の固定式端子台に対して、任意に取外可能かつ単一列または複数列の構造形態に組み合わせられ、実際の作業範囲のニーズを満たせるように設けられ、色による識別性を有して、導電特性を区別することができるように設けられる端子台であり、それによって、電源、信号、接地などから来ているかが目視で分かるので、誤操作防止や差込・取外しがが容易に行なわれるように設けられる、という容易に識別可能な端子台の改良を提供することを目的とする。
【課題を解決するための手段】
【０００４】
上述した目的を達成させるため、本考案は、主に複数列の端子台の構造形態であり、各列の端子台は、二つの筐体による凹凸構造を組み合わせてなり、組み合わせてなる各列の端子台には、プラグを差し込むための差込口が１個以上設置、その中に１組の導電性出力ピンが埋設され、導電特性を識別するために、異なる着色層で被覆され、それによって、該導電特性のあるプラグが各列端子台の該差込口へ差込み、そこから取外すことが容易に識別可能なことを特徴とする。
【０００５】
該筐体は、側端部、側蓋部と拡張部を備えてなり、該側端部、該側蓋部と該拡張部の上端には、該差込口に対応する開放孔があり、該側端部と該側蓋部の外側面は閉鎖部に設けられ、該側端部と該拡張部の内側面にはそれぞれ、凹溝が設けられることを特徴とする。
【０００６】
該凹凸構造は、相互に対応する突起と凹所を備えてなり、該側端部と該側蓋部を組み合わせるところの内側面にはそれぞれ、複数の凹穴及びそれに対応する複数の突起があり、それらを嵌め合わせて、単一列の端子台に設けられることを特徴とする。
【０００７】
該側端部と該側蓋部の間には、１個以上の該拡張部を組み合わせるように設けられ、該拡張部の一側面には複数の突起、他方の側面には複数の凹孔が設けられ、それによって、複数列の端子台に設けられることを特徴とする。
【０００８】
該側蓋部外側の表面には、図形や文字を表示するための表示エリアが設けられることを特徴とする。  
【０００９】
該差込口の上方には、該差込口への差込み、そこからの取り外しが容易に行なわれるための押しブロックが設けられ、該導電性出力ピンは、弾力性を有し、対向する２枚のフック形導電シートが接続、電気が伝わるように設けられ、該導電性出力ピンは該凹溝内に埋設され、その一端が該差込口の底部にあり、他方端が端子台の底部に露出されるように設けられることを特徴とする。
【００１０】
該着色層は、半透光性または非透光性の色に設けられ、電源、信号、接地など各種の導電特性を識別するように、赤、緑、灰色、白、黒の着色層に設けられることを特徴とする。
【図面の簡単な説明】
【００１１】
【図１】本考案の複数列の端子台の前面図である。
【図２】本考案の側端部、側蓋部、拡張部の形態図である。
【図３Ａ】本考案の側端部と拡張部の内側面図である。
【図３Ｂ】本考案の側端部と拡張部の内側面図である。
【図４】本考案の側端部と拡張部の表面に設けられた着色層図である。
【図５】本考案の異なる着色層の拡張部を組み合わせてなる複数列の端子台図である。
【図６】本考案の側端部と側蓋部を組み合わせてなる単一列の端子台図である。
【考案を実施するための形態】
【００１２】
図１〜３に示すように、本考案は、主に複数列の端子台１の構造形態であり、各列の端子台は、二つの筐体による凹凸構造を組み合わせてなり、該筐体は、側端部１１、側蓋部１２と拡張部１３を備えてなり、該凹凸構造は、相互に対応する突起と凹所を備えてなり、該側端部１１と該側蓋部１２を組み合わせるところの内側面にはそれぞれ、複数の凹穴１１０及びそれに対応する複数の突起１２０があり、該拡張部１３の一側面には複数の突起１３０、他方の側面には複数の凹穴１３１が設けられ、お互いを組み合わせる各列の端子台には、プラグ（図示せず）が差し込む差込口１０が１個以上設置、その中に１組の導電性出力ピン１４が埋設され、該側端部１１、該側蓋部１２と該拡張部１３の上端にはそれぞれ、該差込口１０に対応する開放孔があり、該側端部１１と該側蓋部１２の外側面は閉鎖部に設けられ、図３（Ａ）（Ｂ）点線で示される形状のように、該側端部１１と該拡張部１３の内側面にはそれぞれ、凹溝１１１、凹溝１３２が設けられており、該導電性出力ピン１４は、弾力性を有し、対向する２枚のフック形導電シートが接続、電気が伝わるように設けられ、該導電性出力ピン１４はそれぞれ、該凹溝１１１、該凹溝１３２内に埋設、その一端（上端）が該差込口１０の底部にあり、他方端（下端）が端子台の底部に露出されるように設けられ、該差込口１０の上方には、差込口１０への差込み、差込口１０からの取外しが簡単に行なわれるための押しブロック１５が設けられ、該押しブロック１５を押すと、該導電性出力ピン１４が動かされることになり、それで、該導電性出力ピン１４の上端が変形して、差込口１０のプラグ（図示せず）の差込み、取り外しが簡単に行なわれるようになる。
【００１３】
図４に示すように、本考案の該側端部１１と該側蓋部１２との間には、該拡張部１３を１個以上組み合わせることが可能、該側端部１１の表面には着色層１１２、組み合わせの複数の該拡張部１３の表面にはそれぞれ、異なる着色層１３３が設けられ、異なる着色層の設置により、複数列の端子台に対応する導電特性を区別することができる。各列の端子台表面は、それに対応する導電特性を識別するために、異なる着色層で被覆され、該導電性プラグを、各列端子台のどの該差込口１０へ差込み、またはそこから取り外すのか識別しやすくなり、該側端部１１と該拡張部１３の表面の着色層は、半透光性または非透光性の着色層に設けられ、電源、信号、接地など各種の導電特性を識別するように、赤、緑、灰色、白、黒の着色層に設けられてもよい。
【００１４】
図５に示すように、該側蓋部１２外側の表面には、図形や文字を表示するための表示エリア１２１が設けられる。
【００１５】
図６に示すように、本考案は、該側端部１１と該側蓋部１２を備えてなる単一列の端子台に設けられるが、該側端部１１の表面には着色層１１２が設けられ、該導電性出力ピン１４は、該凹溝１１１内に埋設され、その一端が該差込口１０の底部にあり、他方端が端子台の底部に露出され、在該側端部１１と該側蓋部１２を組み合わせるところの内側面にそれぞれ、複数の凹穴１１０及びそれに対応する複数の突起１２０があり、それらを嵌め合わせて、単一列の端子台に設けられるのである。
【００１６】
上述した好適な実施例に掲示された説明と図面は、本考案の技術内容や技術手段を説明するのに用いられ、それを以って、その範囲を制限してはならないとし、本考案の構造に対する細部の修正、変更またはそれと同等な効果を有するものを使用し、またはそれに換えて生じられる機能や作用が、本明細書や図面でカバーするにコンセプトを踏まえたものであれば、どれも本考案の範囲に含まれるものとすることを説明しておく。
【符号の説明】
【００１７】
１      端子台
１０    差込口
１１    側端部
１１０  凹孔
１１１  凹溝
１１２  着色層
１２    側蓋部
１２０  突起
１２１  表示エリア
１３    拡張部
１３０  突起
１３１  凹孔
１３２  凹溝
１３３  着色層
１４    導電性出力ピン
１５    押しブロック
【図１】
0003216496.tif 000003
【図２】
0003216496.tif 000004
【図３Ａ】
0003216496.tif 000005
【図３Ｂ】
0003216496.tif 000006
【図４】
0003216496.tif 000007
【図５】
0003216496.tif 000008
【図６】
0003216496.tif 000009